(57)【要約】【課題】  複数の可搬型媒体に跨って記録されたＡＶコンテンツを再生する場合、媒体交換によって再生が中断される。【解決手段】  可搬型媒体に記録された分散コンテンツの継目部分を内蔵記録媒体にダビングし、継目部分の再生を内蔵媒体で行う切り替え制御を行う。内蔵媒体の継目部分の再生中に後続の媒体交換を行ない、内蔵媒体による継目部分の再生終了後、後続の媒体への再生切り替えを行なった後、内蔵媒体上にダビングした継目部分のコンテンツを削除する。【選択図】  図３
2005332454.tif 000002
【特許請求の範囲】
【請求項１】
内蔵型または可搬型の第一記録媒体と可搬型の第二記録媒体を備える録画再生装置において、
複数の媒体に跨って記録したＡＶコンテンツの管理情報を退避する分散コンテンツ管理情報退避手段と、
前記ＡＶコンテンツ再生時の媒体交換処理に要する時間を予め設定しておく媒体交換時間設定手段と、
現在再生中の媒体上のＡＶコンテンツの末尾から前記媒体交換時間分遡った区間を前記第一記録媒体にダビングし、現在再生中の媒体の残り再生時間が前記媒体交換時間以下になった場合に、再生対象媒体を前記第二記録媒体から前記第一記録媒体への切り替え制御を行う分散コンテンツ再生制御手段と、
を備えることを特徴とするシームレス再生制御装置。
【請求項２】
前記分散コンテンツ再生制御手段は更に、
前記再生対象媒体の交換の通知を前記第一記録媒体の再生中に前記第二記録媒体のイジェクト動作により通知する媒体交換通知機能を備えることを特徴とする請求項１記載のシームレス再生制御装置。
【請求項３】
前記分散コンテンツ再生制御手段は更に、
前記第一記録媒体の再生終了時に再生対象媒体を前記第一記録媒体から前記第二記録媒体への切り替え制御を、前記分散コンテンツ管理情報と前記第二記録媒体の照合結果より判断して行う機能を備えることを特徴とする請求項１記載のシームレス再生制御装置。
【請求項４】
前記分散コンテンツ再生制御手段は更に、
前記第一記録媒体の再生終了後、前記第二記録媒体の再生切り替え制御が行われた後に前記第一記録媒体の再生対象コンテンツを削除する機能を備えることを特徴とする請求項１記載のシームレス再生制御装置。
【請求項５】
前記分散コンテンツ再生制御手段は更に、
前記第一記録媒体の再生終了時以降に前記分散コンテンツ管理情報と前記第二記録媒体の照合結果の整合が取れた場合には前記第一記録媒体にダビングされたＡＶコンテンツを再生した後、前記第二記録媒体への再生媒体切り替えを行う機能を備えることを特徴とする請求項１記載のシームレス再生制御装置。
【請求項６】
前記分散コンテンツ再生制御手段は更に、
前記第一記録媒体の再生終了時迄に前記分散コンテンツ管理情報と前記第二記録媒体の照合結果の整合が取れなかった場合には前記第一記録媒体にダビングされたＡＶコンテンツの最終画像を静止画出力する機能を備えることを特徴とする請求項１記載のシームレス再生制御装置。
【請求項７】
内蔵型または可搬型の第一記録媒体と可搬型の第二記録媒体を備える録画再生装置において、
複数の媒体に跨って記録したＡＶコンテンツの管理情報を退避する分散コンテンツ管理情報退避ステップと、
前記ＡＶコンテンツ再生時の媒体交換処理に要する時間を予め設定しておく媒体交換時間設定ステップと、
現在再生中の媒体上のＡＶコンテンツの末尾から前記媒体交換時間分遡った区間を前記第一記録媒体にダビングし、現在再生中の媒体の残り再生時間が前記媒体交換時間以下になった場合に、再生対象媒体を前記第二記録媒体から前記第一記録媒体への切り替え制御を行う分散コンテンツ再生制御ステップと、
を備えることを特徴とするシームレス再生制御方法。
【請求項８】
前記分散コンテンツ再生制御ステップは更に、
前記再生対象媒体の交換の通知を前記第一記録媒体の再生中に前記第二記録媒体のイジェクト動作により通知する媒体交換通知機能を備えることを特徴とする請求項７記載のシームレス再生制御方法。
【請求項９】
前記分散コンテンツ再生制御ステップは更に、
前記第一記録媒体の再生終了時に再生対象媒体を前記第一記録媒体から前記第二記録媒体への切り替え制御を、前記分散コンテンツ管理情報と前記第二記録媒体の照合結果より判断して行う機能を備えることを特徴とする請求項７記載のシームレス再生制御方法。
【請求項１０】
前記分散コンテンツ再生制御ステップは更に、
前記第一記録媒体の再生終了後、前記第二記録媒体の再生切り替え制御が行われた後に前記第一記録媒体の再生対象コンテンツを削除する機能を備えることを特徴とする請求項７記載のシームレス再生制御方法。
【請求項１１】
前記分散コンテンツ再生制御ステップは更に、
前記第一記録媒体の再生終了時以降に前記分散コンテンツ管理情報と前記第二記録媒体の照合結果の整合が取れた場合には前記第一記録媒体にダビングされたＡＶコンテンツを再生した後、前記第二記録媒体への再生媒体切り替えを行う機能を備えることを特徴とする請求項７記載のシームレス再生制御方法。
【請求項１２】
前記分散コンテンツ再生制御ステップは更に、
前記第一記録媒体の再生終了時迄に前記分散コンテンツ管理情報と前記第二記録媒体の照合結果の整合が取れなかった場合には前記第一記録媒体にダビングされたＡＶコンテンツの最終画像を静止画出力する機能を備えることを特徴とする請求項７記載のシームレス再生制御方法。
【請求項１３】
請求項７から請求項１２のいずれか一つに記載の分散コンテンツ再生制御方法としてコンピュータを機能させるためのシームレス再生制御プログラム。
【請求項１４】
前記請求項１３に記載のコンピュータプログラムを記録したことを特徴とするコンピュータ読み取り可能な記録媒体。
【発明の詳細な説明】
【技術分野】
【０００１】
本発明は内蔵型または可搬型の第一記録媒体と可搬型の第二記録媒体を有する録画再生装置において、複数の第二記録媒体に跨るＡＶコンテンツをシームレスに再生する制御機能に関する。
【背景技術】
【０００２】
デジタル多用途ディスク（以後ＤＶＤと呼ぶ）レコーダ及びハードディスクドライブ（以後ＨＤＤと呼ぶ）レコーダが、家庭用ＶＴＲの後継機として普及しつつある。記録媒体としてのＤＶＤ、ＨＤＤにはそれぞれ一長一短があり、一言で優劣をつけるのは難しい。このことからメーカー各社は、ＤＶＤレコーダとＨＤＤレコーダの両者の機能を合わせ持つ融合型レコーダを市場に投入している。
融合型レコーダの利用形態として、大容量のＨＤＤを一時記録媒体として利用し、可搬型のＤＶＤ−ＲＡＭを保存用ＡＶコンテンツの記録媒体として利用することが一般的である。ＨＤＤからＤＶＤ−ＲＡＭへのダビング時には、ＤＶＤ−ＲＡＭの空容量に応じて適切なビットレートを設定することも可能であるが、ユーザ心理として保存用のＡＶコンテンツを高品位に残しておきたいというニーズがある。
片面１層のＤＶＤ−ＲＡＭのディスク容量は４．７ＧＢと大容量ではあるが、ＨＤＤ上に平均１０Ｍｂｐｓで記録されたＡＶコンテンツの場合は、１時間で約４．５ＧＢを消費する。このため、２時間前後の長さが一般的な映画コンテンツを１０ＭｂｐｓでＤＶＤ−ＲＡＭへ記録する場合には複数枚のＤＶＤ−ＲＡＭに分割してダビングすることで対応している。
また、チェンジャ機能を実装したシームレスな制御機能に関する文献としては以下のものがある（特許文献１参照）。
【特許文献１】特開２００１−６３２９号公報
【発明の開示】
【発明が解決しようとする課題】
【０００３】
しかしながら、前記従来の構成では、複数のＤＶＤ−ＲＡＭに跨って記録されたＡＶコンテンツを再生する時に、ＤＶＤ−ＲＡＭ交換が必要となる。交換中はＡＶコンテンツの再生が中断される為、ユーザにとっては興醒めする状況となる。図３（ａ）に、複数のＤＶＤ−ＲＡＭ（Ｄｉｓｃ１、Ｄｉｓｃ２）に跨って記録されているＡＶコンテンツを再生する場合の概要を示す。時間経過は左から右へと流れ、再生部分を太い矢印で示す。本図から明らかな様に、ＤＶＤ−ＲＡＭが可搬型媒体である以上、媒体交換操作を避けて通ることはできず、結果として再生部分は分断されることとなる。
大容量のＨＤＤを利用して、ＤＶＤ−ＲＡＭに保存したＡＶコンテンツをＨＤＤにダビングした後、複数のＡＶコンテンツを順次再生指定すれば、ＤＶＤ−ＲＡＭ交換による視聴の中断を回避することができる。
しかしながら、１０Ｍｂｐｓで２時間分のＡＶコンテンツは約９ＧＢの容量である。２倍速、すなわち、２×１３５０（ＫＢ／Ｓｅｃ）の転送レートでＤＶＤ−ＲＡＭからＨＤＤに高速ダビングを行ったとしても、約１時間を視聴の前準備に費やす必要があり、現実的ではない。
【０００４】
また、特許文献１に開示された記録装置の構成は、チェンジャ機能を前提にした媒体切り替え制御が行われている。チェンジャ機能を搭載しない機器では効果を得ることが出来ない。また、仮にチェンジャ機能を搭載していたとしても、チェンジャに予めセット出来る媒体数を超えた再生を行う場合には、手動による媒体交換時間が必要となり、シームレスな再生を行うことは困難である。
【０００５】
本発明は、前記従来の課題を解決するもので、複数の可搬型記録媒体に跨って記録されたＡＶコンテンツをシームレスに再生することを目的とする。
【課題を解決するための手段】
【０００６】
前記従来の課題を解決するために、本発明のシームレス再生制御装置は、複数の媒体に跨って記録したＡＶコンテンツの管理情報を退避する分散コンテンツ管理情報退避手段と、前記ＡＶコンテンツ再生時の媒体交換処理に要する時間を予め設定しておく媒体交換時間設定手段と、現在再生中の媒体上のＡＶコンテンツの末尾から前記媒体交換時間分遡った区間を前記第一記録媒体にダビングし、現在再生中の媒体の残り再生時間が前記媒体交換時間以下になった場合に、再生対象媒体を前記第二記録媒体から前記第一記録媒体への切り替え制御を行う分散コンテンツ再生制御手段を備えることを特徴とする。
【０００７】
また、本発明のシームレス再生制御装置の、前記分散コンテンツ再生制御手段は更に、前記再生対象媒体の交換の通知を前記第一記録媒体の再生中に前記第二記録媒体のイジェクト動作により通知する媒体交換通知機能を備えることを特徴とする。
【０００８】
また、本発明のシームレス再生制御装置の、前記分散コンテンツ再生制御手段は更に、前記第一記録媒体の再生終了時に再生対象媒体を前記第一記録媒体から前記第二記録媒体への切り替え制御を、前記分散コンテンツ管理情報と前記第二記録媒体の照合結果より判断して行う機能を備えることを特徴とする。
【０００９】
また、本発明のシームレス再生制御装置の、前記分散コンテンツ再生制御手段は更に、前記第一記録媒体の再生終了後、前記第二記録媒体の再生切り替え制御が行われた後に前記第一記録媒体の再生対象コンテンツを削除する機能を備えることを特徴とする。
【００１０】
また、本発明のシームレス再生制御装置の、前記分散コンテンツ再生制御手段は更に、前記第一記録媒体の再生終了時以降に前記分散コンテンツ管理情報と前記第二記録媒体の照合結果の整合が取れた場合には前記第一記録媒体にダビングされたＡＶコンテンツを再生した後、前記第二記録媒体への再生媒体切り替えを行う機能を備えることを特徴とする。
【００１１】
また、本発明のシームレス再生制御装置の、前記分散コンテンツ再生制御手段は更に、前記第一記録媒体の再生終了時迄に前記分散コンテンツ管理情報と前記第二記録媒体の照合結果の整合が取れなかった場合には前記第一記録媒体にダビングされたＡＶコンテンツの最終画像を静止画出力する機能を備えることを特徴とする。
【００１２】
また、本発明のシームレス再生制御方法は、複数の媒体に跨って記録したＡＶコンテンツの管理情報を退避する分散コンテンツ管理情報退避ステップと、前記ＡＶコンテンツ再生時の媒体交換処理に要する時間を予め設定しておく媒体交換時間設定ステップと、現在再生中の媒体上のＡＶコンテンツの末尾から前記媒体交換時間分遡った区間を前記第一記録媒体にダビングし、現在再生中の媒体の残り再生時間が前記媒体交換時間以下になった場合に、再生対象媒体を前記第二記録媒体から前記第一記録媒体への切り替え制御を行う分散コンテンツ再生制御ステップを備えることを特徴とする。
【００１３】
また、本発明のシームレス再生制御方法の、前記分散コンテンツ再生制御ステップは更に、前記再生対象媒体の交換の通知を前記第一記録媒体の再生中に前記第二記録媒体のイジェクト動作により通知する媒体交換通知機能を備えることを特徴とする。
【００１４】
また、本発明のシームレス再生制御方法の、前記分散コンテンツ再生制御ステップは更に、前記第一記録媒体の再生終了時に再生対象媒体を前記第一記録媒体から前記第二記録媒体への切り替え制御を、前記分散コンテンツ管理情報と前記第二記録媒体の照合結果より判断して行う機能を備えることを特徴とする。
【００１５】
また、本発明のシームレス再生制御方法の、前記分散コンテンツ再生制御ステップは更に、前記第一記録媒体の再生終了後、前記第二記録媒体の再生切り替え制御が行われた後に前記第一記録媒体の再生対象コンテンツを削除する機能を備えることを特徴とする。
【００１６】
また、本発明のシームレス再生制御方法の、前記分散コンテンツ再生制御ステップは更に、前記第一記録媒体の再生終了時以降に前記分散コンテンツ管理情報と前記第二記録媒体の照合結果の整合が取れた場合には前記第一記録媒体にダビングされたＡＶコンテンツを再生した後、前記第二記録媒体への再生媒体切り替えを行う機能を備えることを特徴とする。
【００１７】
また、本発明のシームレス再生制御方法の、前記分散コンテンツ再生制御ステップは更に、前記第一記録媒体の再生終了時迄に前記分散コンテンツ管理情報と前記第二記録媒体の照合結果の整合が取れなかった場合には前記第一記録媒体にダビングされたＡＶコンテンツの最終画像を静止画出力する機能を備えることを特徴とする。
【００１８】
また、本発明のシームレス再生制御プログラムは、請求項７から請求項１２のいずれか一つに記載の分散コンテンツ再生制御方法としてコンピュータを機能させることを特徴とする。
【００１９】
また、本発明のコンピュータ読み取り可能な記録媒体は、前記請求項１３に記載のコンピュータプログラムを記録したことを特徴とする。
【発明の効果】
【００２０】
本発明によれば、複数の可搬型記録媒体に跨るＡＶコンテンツの媒体交換時に、内蔵型または可搬型の第一記録媒体にダビングした継目部分のコンテンツを再生することで、ＡＶコンテンツの再生を媒体交換操作により中断されることなく、シームレスに行うと共に、媒体間の継続再生が正常に行えた時点で前記第一の記録媒体にダビングした継目部分を削除し、前記第一記録媒体の記録容量の消費を抑えることができる。
【００２１】
また、本発明によれば、継続する媒体交換操作が間に合わなかった場合に、前記第一記録媒体にダビングされている継目部分からの視聴を行なうことによって、ユーザがＡＶコンテンツのストーリーを思い出しやすい再生制御を行うことができる。
【００２２】
また、本発明によれば、継続する媒体交換操作が間に合わなかった場合に、ブルーバック画面や受信放送等、現在視聴中のＡＶコンテンツとは無関係な画像が表示され、ユーザが興醒めする状態を回避することができる。
【００２３】
このように、本発明によれば、複数の可搬型記録媒体に跨って記録されたＡＶコンテンツの再生時の媒体交換時に、再生が途切れないという効果を得ることができる。
【発明を実施するための最良の形態】
【００２４】
以下本発明の実施の形態について、図面を参照しながら説明する。
（実施の形態１）
第一実施例は、複数の可搬型記録媒体としてＤＶＤ−ＲＡＭに記録されたＡＶコンテンツの継目部分を内蔵型記録媒体のＨＤＤにダビングし、再生、及び再生媒体の切り替え制御、ＤＶＤ−ＲＡＭの媒体交換通知、継目部分の削除を行なう分散コンテンツ再生制御に関するものである。
図３（ｂ）は、本発明の第一実施例に係る複数ＤＶＤ−ＲＡＭに記録されたＡＶコンテンツの再生制御の概要を示す図である。
従来例による複数媒体に跨るＡＶコンテンツ再生時の概要を示した図３（ａ）と比較して明らかな様に、従来例では、媒体交換によって分断されていた再生部分（太矢印）が、本実施の形態では、ＨＤＤにダビングされた継目部分の再生時に媒体交換を行うことによって時間軸に沿って分断されることなく連続した状態となっている。
本発明の第一実施例に係るシームレス再生制御装置は、分散コンテンツ再生制御手段によって、内蔵記録媒体であるＨＤＤにＡＶコンテンツの継目部分をダビングし切り替え再生することで、この切り替え再生中の時間を利用した媒体交換操作を可能にし、シームレスな再生制御を行うことができる。
【００２５】
（装置の構成）
次に、上記の分散コンテンツ再生制御手段を実行するシームレス再生制御装置の構成について説明する。
図１は、本発明の実施の形態１の構成を示す。この録画再生装置には、アンテナ１０２及びモニター１０３が接続されている。この録画再生装置は、アンテナ１０２で受信された電波から得られた映像及び音声を記録媒体１３４に記録し、記録された映像をモニター１０３上で再生することができる。
録画再生装置のチューナー１１２は、アンテナ１０２で受信された電波から目的のチャンネルを選局し、そのチャンネルの映像及び音声をエンコーダ１１３に与える。エンコーダ１１３は、与えられた映像及び音声を所定の記録形式で符号化する。エンコーダ１１３により符号化されたデータは、記録媒体１３４に記録される。デコーダ１１６は、記録媒体１３４に記録されたデータを復号化し、出力制御部１１５は出力対象となるコンテンツ保護情報に応じたコピー制限情報の重畳制御を行い、復号化した映像のデータをオーバーレイ部１１４に出力する。
【００２６】
次に、ＯＳＤ表示部１１７は、録画再生装置の動作設定や状況を表す表示データを作成する。オーバーレイ部１１４は、デコーダ１１６からの映像のデータにＯＳＤ表示部１１７からの表示データを合成した所定の表示形式の映像を生成する。オーバーレイ部１１４により生成された映像が、モニター１０３上に表示される。
モニター１０３に表示された映像を見る指示やその他の録画再生装置に対する指示をユーザが行うのに、例えばリモコン１０１が用いられる。ユーザがリモコン１０１を用いて指示を入力すると、ユーザ入力部１１１が、リモコン１０１からの入力を受け付け、その内容をＣＰＵ１３１に伝える。ＣＰＵ１３１は、バス１２０を通じて行われるデータ転送や録画再生装置における各種の処理を制御する。ＲＯＭ１３２には、プログラムが記録されており、ＣＰＵ１３１は、ＲＡＭ１３３を用いながら、このプログラムに従って動作する。
ＲＯＭ１３２に記録されたプログラムには、本発明によって提供される分散コンテンツ再生制御プログラムが含まれる。ＣＰＵ１３１やＲＯＭ１３２、ＲＡＭ１３３などによって構成される録画再生装置内のコンピュータと、この分散コンテンツ再生制御プログラムが協働することによって、録画再生装置は、本発明によって提供されるシームレス再生制御装置として機能する。
【００２７】
（装置の動作）
以上のように構成されたシームレス再生制御装置の分散コンテンツ再生制御動作について説明する。
図５（ａ）に、本発明の第一実施例に係るシームレス再生制御装置で用いる分散コンテンツ管理情報のフォーマット構造を示す。
分散録画数には、現在までに発生した分散録画処理の回数を退避する。この回数は分散録画発生時にカウントアップされる。分散録画数と対応する分散録画コンテンツ情報として、分割コンテンツ数、記録先媒体識別子、コンテンツ識別子の３つの情報を定義する。
分割コンテンツ数は、分散録画処理によって分散記録されたコンテンツ総数を退避する。
記録先媒体識別子は、各分散コンテンツが記録された記録媒体を識別する情報で、記録先媒体種別毎に一意に定める管理番号で構成する識別情報を退避する。
コンテンツ識別子は、各分散コンテンツが記録された記録媒体上でのコンテンツ単位の識別子である。
図３（ａ）の状態の場合の分散コンテンツ管理情報の内容を図５（ｂ）に示す。
この状態では分散録画が１回発生している。分散録画による分割コンテンツ数は２枚のＤＶＤ−ＲＡＭに分散して記録された前半部と後半部の合計２個である。
記録先媒体識別子と、コンテンツ識別子は、以下に示す各記録媒体上のＡＶコンテンツ管理情報で設定される値が参照される。
【００２８】
図６（ａ）に、ＡＶコンテンツ管理情報の概略構造を示す。
ＡＶコンテンツ管理情報は記録媒体に退避される情報で、記録媒体の記録状態を管理する情報であり、少なくとも記録媒体の識別情報、記録媒体の空き容量、記録媒体に記録可能なＡＶコンテンツ数の最大値、記録媒体に記録可能な実体プレイリスト数の最大値、記録媒体に記録可能な実体ストリームファイル数の最大値、記録媒体に記録されているＡＶコンテンツ数、記録媒体に記録されているＡＶコンテンツの実体プレイリスト数、記録媒体に記録されているＡＶコンテンツの実体ストリームファイル数、記録媒体に記録されているＡＶコンテンツの実体プレイリスト数分の実体プレイリスト情報、を含んだ構成である。
なお、各最大値の値については、記録媒体の記録フォーマット識別子を別途退避しておき、予め記録フォーマットで規定される規格値を引用する方法でも良い。
図６（ｂ）に、ＡＶコンテンツ管理情報内の実体プレイリスト情報の概略構造を示す。
実体プレイリスト情報は記録媒体に退避される情報で、エンドユーザの操作対象となるＡＶコンテンツを管理する情報であり、少なくとも再生区間数と、再生区間毎の実体ストリームファイルの先頭位置と末尾位置情報を含んだ構成である。
先頭位置は実体ＡＶストリームデータが記録されているＣｌｉｐファイル識別子と、該Ｃｌｉｐファイル内に記録されたＡＶストリームデータのＣｌｉｐファイル先頭からの相対位置を時分秒で管理する情報から構成される。末尾位置も開始位置と同様の構成を持つ。
実体ストリームファイルはＭＰＥＧ２トランスポートストリームの構造に準ずるものとする。ＡＶコンテンツデータは時間軸上に展開され、実体プレイリスト情報は実体ストリームファイル内のアクセス位置を時分秒で指定する。
図３（ａ）の状態の場合のＤｉｓｃ１上のＡＶコンテンツ管理情報の内容を図７（ａ）に示す。
図３（ａ）の状態の場合のＤｉｓｃ２上のＡＶコンテンツ管理情報の内容を図７（ｂ）に示す。
【００２９】
以上示したように、図５（ａ）で示した分散コンテンツ管理情報と、図６で示したＡＶコンテンツ管理情報は独立している。分散録画が発生していない通常状態はＡＶコンテンツ管理情報によって個々のＡＶコンテンツ単位の管理が行われる。分散コンテンツ管理情報はＡＶコンテンツ管理情報を参照する形で、分散録画によって分割されたＡＶコンテンツ間の関連情報を管理する。
【００３０】
以上の様に構成されたシームレス再生制御装置の分散コンテンツ再生制御における動作について、以下図４に沿って説明する。
なお、予め本制御装置においては、媒体交換時間設定手段によって、媒体交換の所要時間がユーザまたはデフォルト設定された値が、本装置内の不揮発メモリ上に退避されているものとする。
ＡＶコンテンツの再生が開始されると、現在再生しているＡＶコンテンツが分散録画されたコンテンツか否かを、分散コンテンツ管理情報とＡＶコンテンツ管理情報より判断する。再生指定されているＡＶコンテンツの記録先媒体識別子とコンテンツ識別子が分散コンテンツ管理情報に登録されているものであれば、分散録画コンテンツと判断する（ステップＳ３０００）。
分散コンテンツ以外の場合は本処理を終了し、以後通常のＡＶコンテンツ再生処理を行う。
分散コンテンツの場合は、現在再生中のＡＶコンテンツの継目部分をＨＤＤへダビングする（ステップＳ３００１）。継目部分の記録長については、別途退避済みの媒体交換時間とし、現在再生中のＡＶコンテンツの末尾から媒体交換時間分、遡った範囲がＨＤＤへのダビング対象となる。
【００３１】
次に、現在再生中のＡＶコンテンツの再生位置が継目部分に到達したならば（ステップＳ３００２）、再生媒体をＤＶＤ−ＲＡＭ（Ｄｉｓｃ１）からＨＤＤへ切り替え、ＨＤＤ上にダビングした継目部分のコンテンツの再生を行なう（ステップＳ３００３）。
継目部分の再生中、すなわち、媒体交換時間の間に再生の終わったＤＶＤ−ＲＡＭ（Ｄｉｓｃ１）をイジェクトする（ステップＳ３００４）。
イジェクト動作により、ユーザは媒体交換のタイミングを通知されるが、次の媒体（Ｄｉｓｃ２）を何時ローディングするかはユーザ依存である。ユーザは継目部分を視聴中であり、場面展開の緩やかなシーン等、ユーザにとってキリの良い箇所で媒体交換を行なえば良い。
継目部分の再生が終了したら（ステップＳ３００５）、その時点で次の媒体（Ｄｉｓｃ２）がローディング済みか否かを判断する（ステップＳ３００６）。判断に際してはＤｉｓｃ２上のＡＶコンテンツ管理情報と、分散コンテンツ管理情報の照合により行なう。
次の媒体が未ローディングの場合は、再生位置をＨＤＤ上の継目部分に設定する（ステップＳ３００７）。
これは何らかの理由で、所定の媒体交換時間中に、次の媒体をユーザがセットすることが出来なかった状況を想定し、ＡＶコンテンツの再生を中断するため、中断再開時に継目位置からの再生を行なうことで、ユーザが中断前のシーンを思い出す手助けを提供する処理となる。
次の媒体が正常にローディング済みであれば、再生媒体をＨＤＤからＤＶＤ−ＲＡＭ（Ｄｉｓｃ２）に切り替え（ステップＳ３００８）、ＨＤＤ上にダビングした継目部分のコンテンツの削除を行なう（ステップＳ３００９）。
【００３２】
以上のようにして、本発明の第一実施例では、従来例と異なり、可搬媒体上に分散記録されているＡＶコンテンツの継目部分の再生を、内蔵記録媒体のＨＤＤにダビングし、継目部分はこのＨＤＤ上の情報を再生することによって、その間の媒体交換を行なう機会をユーザに与える制御を行うことができる。
以上、本発明に係るシームレス再生制御装置の構成、及び分散コンテンツ再生制御動作方法について、実施の形態に基づいて説明したが、本発明はこれら実施の形態に限られないことは勿論である。
即ち、
（１）上記実施の形態では、分散記録の媒体数は２枚であったが、これに限定されるものではなく、３枚以上の場合も同様に２枚目末尾の継目部分をＨＤＤにダビングして切り替え再生を行なっても良い。
（２）上記実施の形態では、１つの録画再生装置内に２つの記録媒体が装着可能なシステムであったが、これに限定されるものではなく、記録媒体が単一の録画再生装置によって構成される２つ以上の記録媒体を備えた録画再生システムであっても良い。
（３）上記実施の形態では、記録媒体がDVD-RAM、であったが、これに限定されるものではなく、例えば、Blu-ray Disc、DVD-R、DVD-RW、DVD+RW、CD-R、CD-RW、SDカード、PCカード、MO、MD、PD、スマートメディア、コンパクトフラッシュ（登録商標）、マルチメディアカード、メモリスティック等の記録可能なメディアであっても良い。
【産業上の利用可能性】
【００３３】
本発明にかかる分散コンテンツ再生制御機能を有するシームレス再生制御装置は、融合機型レコーダにおけるリレー記録時の再生制御機能としても有用である。
【図面の簡単な説明】
【００３４】
【図１】本発明の実施の形態におけるシームレス再生制御装置の構成を示す図
【図２】本発明の実施の形態１における分散コンテンツ再生制御部の構成を示す図
【図３】分散記録ＡＶコンテンツ再生の従来例での課題と本発明の実施の形態１による効果の概要を示す図
【図４】本発明の実施の形態１における分散コンテンツ再生制御処理のフローチャート
【図５】本発明の実施の形態１における分散コンテンツ管理情報の構造を示す図
【図６】本発明の実施の形態１におけるＡＶコンテンツ管理情報の構造を示す図
【図７】本発明の実施の形態１における可搬媒体上に分散記録された状態のＡＶコンテンツのＡＶコンテンツ管理情報を示す図
【符号の説明】
【００３５】
１００  外部機器
１０１  リモコン
１０２  アンテナ
１０３  モニター
１１０  外部入出力
１１１  ユーザ入力
１１２  チューナー
１１３  エンコーダ
１１４  オーバーレイ
１１５  出力制御部
１１６  デコーダ
１１７  ＯＳＤ表示
１２０  バス
１３０  内蔵タイマー
１３１  ＣＰＵ
１３２  ＲＯＭ
１３３  ＲＡＭ
１３４  記録媒体
２００  分散コンテンツ管理情報
２０１  媒体交換時間設定手段
２０２  現在再生位置情報
２０３  分散コンテンツ再生制御手段
２０４  継目位置算出手段
２０５  ダビング手段
２０６  媒体交換通知手段
２０７  再生媒体切り替え手段
２０８  コンテンツ削除手段
２０９  分散コンテンツ管理情報退避手段
【図１】
2005332454.tif 000003
【図２】
2005332454.tif 000004
【図３】
2005332454.tif 000005
【図４】
2005332454.tif 000006
【図５】
2005332454.tif 000007
【図６】
2005332454.tif 000008
【図７】
2005332454.tif 000009